(57)【要約】      （修正有）【課題】ゴルフ練習場での新しいスポーツゲームであるターゲットゴルフを楽しく継続することができる、ゴルフボール、および、ゴルフ練習場運営システムを提供する。【解決手段】ターゲットゴルフ用のゴルフボールにＩＣタグやＩＣチップ７ａ、バーコード６ａなどを埋め込むことで、ゴルフ練習場１内に設けた複数のターゲットホールボックス５にホールインしたゴルフボールが、何処の打席で、誰が打ったボールかを識別出来るようにする。ホールイン情報は、ゴルフ練習場情報管理室８に送信され、ゴルフ場内案内ボード９でホールイン情報を場内に案内することで、ゴルフ打席２のゴルファーはホールインを確認する。【選択図】図１
2016022365.tif 000002
【特許請求の範囲】
【請求項１】
ゴルフ練習場で、新たに開発されたスポーツゲーム「ターゲットゴルフ」（仮称）で使用されるゴルフボールは、ボールの内部又は、外部にＩＣタグやＩＣチップやシールやバーコードなどを  埋め込み、貼る、プリントする方法で製作される。このゴルフボールは、複数のゴルフ打席で同時に打たれたゴルフボールが  何処の打席で、誰が打ったボールか、いつの日時で打たれたボールか、を識別出来ることを特徴とするゴルフボール。
【請求項２】
ゴルフ練習場で使用されるターゲットゴルフボールは、ゴルフ練習場内の目標となる複数のターゲットホールボックスが設置され、ゴルファーは、そのターゲットホールを目標にしてゴルフ練習を行います。そこで、［請求項１］のボールが各ターゲットホールにホールインすると、ホールの内部に取り付けてあるビデオカメラがセンサーで自動的に撮影をします。ボールのバーコードや色や数字を確認し、ゴルフ練習場情報管理室に伝えます。又は、ＩＣタグリーダーから発射される電波は、微量な電力を生み出す事が出来る。その電力で内蔵のゴルフボール個別番号などの情報処理が行われて電波を送信する。リーダーはこの電波信号を読み取ってＩＣタグの情報をインターネットや無線又は、有線でゴルフ練習場情報管理室に伝わり、直ぐにゴルフ練習場内の案内ボードでホールインの情報を場内に案内しますのでゴルフ打席のゴルファーはホールインを確認することが出来ます。このような流れを特徴とするゴルフ練習場ホールイン情報管理運営システムです。
【請求項３】
ゴルフ練習場の打席で使用されたターゲットゴルフ用ボールの回収は、ＩＣタグやＩＣチップやバーコードなどで特殊加工されていますので、ターゲットゴルフボール専用に開発されたタグ識別機により自動的にボールは色別、番号別、納品日付別、ゴルフ打席番号別などの入力支持情報を把握して、ゴルフ練習場のゴルフ打席の回収システムに合わせて自動タグ識別選別機によりゴルフボールを回収します。
【発明の詳細な説明】
【発明の詳細な説明】
【技術分野】
【０００１】本発明は、ゴルフ練習場内で同時に複数のゴルフボールが、複数の打席から打たれます。その中から所定のゴルフボールを識別する為に  ゴルフボールの内部に、ＩＣタグ、ＩＣチップ、バーコードなどを埋め込み、貼付、プリントして製作されたゴルフボールを使用する。練習場内には複数のターゲットホールボックスが設置されています。ゴルファーは、このターゲットホールを目標にしてゴルフ練習をします。このターゲットホールボックスには小型ビデオカメラやＩＣタグリーダーなどを備えた新スポーツゲームターゲットゴルフの感動、感激を演出する為に、重要な必須の機器を要するターゲットゴルフ情報管理運営システムに関するものである。
【背景技術】
【０００２】ゴルフ練習場の経営者は、ゴルファーはゴルフコースに出る為に練習をしているとしか考えていないのが現状です。しかし、日本のゴルファーをよく観察すると、ゴルフ場でラウンドをしないゴルファーの多さに驚かされます。それは、ゴルフというスポーツは用具を揃えても、直ぐにゴルフコースでプレーは出来ません。ある程度の技術とマナーがないと一緒にプレーする仲間に迷惑を及ぼすからです。そこで、初心者が通う場所がゴルフ練習場です。ここで、多くのゴルファーは上達が出来ずに悪戦苦闘の苛立ちが始まります。ゴルフというスポーツは「決して直ぐに上達はしません」だから、練習の繰り返しの日々で、いつの間にかゴルフ練習場で練習することが健康の為のスポーツとなり、ゴルフコースでのラウンドに往復５時間の運転をするゴルフとは、決別したゴルファーが非常に多くなりました。
【発明が解決しようとする課題】
【０００３】ゴルフ練習場は、ゴルフ場の練習付帯施設の発想からの意識改革が必要です。従来の練習場の顧客は「親父たちのゴルフ」でした。そこで、これからのゴルフ練習場の役目は、ゴルフ初心者が確実に集まる場所で  直ぐにはゴルフコースをラウンド出来ない人たちでも目標を持てて、楽しく継続できるゴルフ練習場での新しいスポーツゲーム［ターゲットゴルフ］を普及させます。戦後、日本人がパチンコゲームに通いました。なぜ、老若男女があれほどパチンコに夢中になるのか？  ゲームの楽しさよりは  日本的なギャンブルの魅力で多くの国民を惹きつけているのではないかと考えました。そこで、私共は  このパチンコの成功例を、ターゲットゴルフの楽しみ方に取り入れて、パチンコのホールで大当たり！に対抗して、練習場のホールインワンで「豪華なクルージングの旅が当たる！」毎日のゴルフ練習が楽しくなる。パチンコに通わない日本人は、ゴルフ練習場に通う事は  技術の上達と健康面でも非常に良い結果が生まれます。そして、ゴルフ場でのコースラウンドにゴルファーは夢中になります。
【課題を解決するための手段】
【０００４】ゴルフ練習場で、新たに開発されたスポーツゲーム「ターゲットゴルフ」で使用されるゴルフボールは、ボールの内部又は、外部にＩＣタグやＩＣチップやシールやバーコードなどを埋め込み、貼る、プリントする方法で製作されます。複数のゴルフ打席で同時に打たれたゴルフボールを  何処の打席で、誰が打ったボールなのかを識別選別出来るゴルフボールでターゲットゴルフが実現します。
【０００５】使用されるゴルフボールは、ゴルフ練習場内の目標となる複数のターゲットホールボックスが設置され、ゴルファーは、そのターゲットホールを目標にしてゴルフ練習を行います。
【０００６】その打たれたボールが、ターゲットホールにホールインすると、ホールの内部に取り付けてあるビデオカメラが自動的に撮影して、ボールのバーコードや色や数字を確認し、ゴルフ練習場情報管理室に伝えます。
【０００７】又は、ターゲットホールにホールインすると、ホールのカップ内部に取り付けてあるＩＣタグリーダーから発射される電波は、微量な電力を生み出す事が出来る。その電力で内蔵のゴルフボール個別番号などの情報処理が行われ電波を送信する。リーダーはこの電波信号を読み取ってＩＣタグの情報をインターネットや無線又は、有線でゴルフ練習場情報管理室に伝えます。
【０００８】ゴルフ打席のゴルファーには、ゴルフ練習場情報管理室から場内案内ボードでホールインの確認情報を伝達するゴルフ練習場ホールイン情報管理システムです。
【０００９】ゴルフ練習場の打席で使用された回収ボールは、ＩＣタグやＩＣチップやバーコードのゴルフボール回収タグ識別機により自動的にボールは各ゴルフ練習場打席システム別に回収され選別されます。
【発明を実施するための形態】
【００１０】本発明の実施の形態に係るスポーツゲーム用ＩＴゴルフ情報管理システムについて、図に基づいて説明をします。
【００１１】図１は、本発明の実施の形態による新スポーツゲーム「ターゲットゴルフ」のシステムを分かりやすく構成を示す構成図である。
【００１２】ゴルフ練習場１の受付カウンターでターゲットゴルフ用のゴルフ打席２を申し込みます。
【００１３】ゴルファーは  指定打席に入ると、自動的にターゲット用ゴルフボールがセットされる３の打席の場合と、ゴルファー自身がターゲット用ゴルフボールを取り出し口４から取り出す打席の場合があります。４の打席の方は、必ずゴルフボール１個をホールイン確認の為に残して頂きます。
【００１４】ゴルファーは、練習場内に設置されたターゲットホールボックス５を目標にして打ち始めます。
【００１５】ターゲットホールボックスは、図２で一例を斜視図で説明します。ターゲットホールボックス５は、上面が傾斜面に形成された中空の箱部材５ａと上面中央部にホールカップ直径１５ｃｍ〜１ｍの５ｂがゴルフ練習場の場内に設置されています。ホールボックスは打席からのヤーデージ距離と広告宣伝スポンサーを表示します。
【００１６】ゴルファーがターゲットホールにホールインをすると、小型監視ビデオカメラ６が作動して、ボールの色や番号やバーコード６ａを確認します。
【００１７】ゴルファーがターゲットホールにホールインをすると、ＩＣタグリーダー７が作動して、７ａの情報でゴルフ打席を確認します。
【００１８】ホールインの情報を６・７で確認すると、自動的にインターネットや無線、又は有線でゴルフ練習場情報管理室８に伝達されます。
【００１９】ゴルフ練習場情報管理室８では、ホールイン情報が送信されると、直ぐに、練習場内の案内ボードとアナウンスで、「○○打席のお客様」「緑の２６番ゴルフボールのお客様」「ホールインおめでとうございます。英国ゴルフの旅ご招待」とご案内致します。
【図面の簡単な説明】
【図１】本発明の実施の形態によるスポーツゲーム用ターゲットゴルフ情報管理システムの構成を説明するための図である。
【図２】ゴルフ練習場に設置されるターゲットホールボックス５の一例を示す斜視図である。
【符号の説明】１    ゴルフ練習場
２    通常のゴルファーのゴルフ打席
３    ターゲットゴルフ用ボールの自動セット打席
４    ターゲットゴルフ用ボールを自身で取り出し口からセットする打席
５    ターゲットホールボックス
６    ターゲットホールカップイン確認ビデオカメラ
６ａ  ゴルフボール（色・番号・バーコード）
７    ターゲットホールカップイン確認ＩＣタグリーダー
７ａ  ゴルフボール（ＩＣタグ・ＩＣチップ）
８    ゴルフ練習場情報管理室
９    ゴルフ練習場内案内ボード＆場内放送システム
【図１】
2016022365.tif 000003
【図２】
2016022365.tif 000004